(57)【要約】【課題】生存空間を確実に確保することができ、出入口部分からの家屋の一部や家具などの倒れ込みを確実に防止し、安全性を高めた生存空間確保用枠体を提供すること。【解決手段】両端部にフランジ部２４が形成された円弧状軸部材２２が、２本、所要間隔をあけて並列した状態で連結用軸部材２６により連結された単位フレーム２０が、複数並列して連結体６０により連結されたフレーム３０と、フランジ部２４を介してフレーム３０が取り付け可能な皿板４０と、円弧状軸部材２２の円弧に対して弦を形成するように円弧状部材２２に装着されたベルト５０Ａと、を有することを特徴とする生存空間確保用枠体１０である。【選択図】図１
2015183434.tif 000002
【特許請求の範囲】
【請求項１】
両端部にフランジ部が形成された円弧状軸部材が、２本、所要間隔をあけて並列した状態で連結用軸部材により連結された単位フレームが、複数並列して連結体により連結されたフレームと、
前記フランジ部を介して前記フレームが取り付け可能な皿板と、
前記円弧状軸部材の円弧に対して弦を形成するように前記円弧状部材に装着されたベルトと、
を有することを特徴とする生存空間確保用枠体。
【請求項２】
前記円弧状軸部材は、複数本の円弧状補助軸部材が円弧方向に着脱可能に連結されていることを特徴とする請求項１記載の生存空間確保用枠体。
【請求項３】
前記円弧状軸部材は、前記フランジ部側における所要範囲に嵩上げ部がさらに形成されていることを特徴とする請求項１または２記載の生存空間確保用枠体。
【請求項４】
前記皿板どうしには第２のベルトが掛け渡されていることを特徴とする請求項１〜３のうちのいずれか一項に記載の生存空間確保用枠体。
【請求項５】
前記皿板には、前記第２のベルトを装着するためのベルト装着部が形成されていることを特徴とする請求項４記載の生存空間確保用枠体。
【請求項６】
前記フレームには防護ネットがさらに装着されていることを特徴とする請求項１〜５のうちのいずれか一項に記載の生存空間確保用枠体。
【発明の詳細な説明】
【技術分野】
【０００１】
本発明は生存空間確保用枠体に関し、より詳細には、就寝時等において発生した地震により家屋が倒壊した場合であっても避難空間を確保することを可能にする生存空間確保用枠体に関する。
【背景技術】
【０００２】
地震発生により家屋が倒壊した際において、生存空間を確保するための構成としては、例えば特許文献１に開示されているようなものが知られている。
【先行技術文献】
【特許文献】
【０００３】
【特許文献１】特開２０１０−０４３５１６号公報
【発明の概要】
【発明が解決しようとする課題】
【０００４】
特許文献１には、基部ブラケットと門型の主枠と天面ガードとを備え、前記基部ブラケットは、座板を備えて前記長手方向の前後端部に左右対向状をなして配置されるとともに、これら基部ブラケットの幅方向に配置されたものには、少なくとも前後に一対をなすべく前記主枠がそれぞれ垂直で前後に間隔を置いて平行状をなして立設固定され、これら長手方向に並ぶ前記主枠には、前記天フレームが交差すべく複数本連結固定されている安全防護装置の構成が開示されており、このような構成を採用することによって、手間と労力なく運搬・搬入・現場組立などが簡便に行えるとともに安価にして提供できるようにした安全防護装置を提供することができるとしている。
【０００５】
しかしながら、特許文献１に開示されている構成においては、安全防護装置への出入口部分が開口した状態である。このため、地震により家屋が倒壊した場合や家具が倒れた場合には、開口部分から安全防護装置の内部に家屋の一部や家具が倒れ込むおそれがあり、安全防護装置内に避難していたとしても怪我をしてしまうといったおそれがある。
【０００６】
そこで本発明は上記課題を解決すべくなされ、その目的とするところは、生存空間を確実に確保することができ、出入口部分からの家屋の一部や家具などの倒れ込みを確実に防止し、安全性を高めた生存空間確保用枠体を提供することにある。
【課題を解決するための手段】
【０００７】
上記課題を解決するために本願発明者が鋭意研究した結果、以下の構成に想到した。
すなわち本発明は、両端部にフランジ部が形成された円弧状軸部材が、２本、所要間隔をあけて並列した状態で連結用軸部材により連結された単位フレームが、複数並列して連結体により連結されたフレームと、前記フランジ部を介して前記フレームが取り付け可能な皿板と、前記円弧状軸部材の円弧に対して弦を形成するように前記円弧状部材に装着されたベルトと、を有することを特徴とする生存空間確保用枠体である。
【０００８】
これにより、生存空間を確実に確保することができ、出入口部分から家屋の一部や家具などの倒れ込みを確実に防止し、生存空間における安全性を高めることが可能になる。
【０００９】
また、前記円弧状軸部材は、複数本の円弧状補助軸部材が円弧方向に着脱可能に連結されていることが好ましい。
【００１０】
これにより、生存空間確保用枠体を設置時における外形寸法に対して大幅に小さい外形寸法に分解することができるので、来客時等の状況に応じて生存空間確保用枠体をコンパクトな状態にして収納することができる。
【００１１】
また、前記円弧状軸部材は、前記フランジ部側における所要範囲に嵩上げ部がさらに形成されていることが好ましい。
【００１２】
これにより、ベッドで就寝する場合においても、生存空間確保用枠体を使用することができ、就寝スタイルにかかわらずに生存空間を確保することができる。
【００１３】
また、前記皿板どうしには第２のベルトが掛け渡されていることが好ましい。
【００１４】
これにより、地震発生時に家屋が倒壊し、生存空間確保用枠体に重量物が落下した場合であっても、フレームの変形を抑制することができ、必要にして十分な生存空間を確保することが可能になる。
【００１５】
また、前記皿板には、前記第２のベルトを装着するためのベルト装着部が形成されていることが好ましい。
【００１６】
これにより、第２のベルトを適切な状態で皿板どうしに掛け渡すことができるため、より確実にフレームの変形を抑制することができる。
【００１７】
また、前記フレームには防護ネットがさらに装着されていることが好ましい。
【００１８】
これにより、地震発生時に就寝スペースに物が落下してくることがなく、安全な避難空間とすることができる。
【発明の効果】
【００１９】
本発明にかかる生存空間確保用枠体の構成を採用することにより、地震により家屋の倒壊や家具が倒れてきたとしても、生存空間確保用枠体の出入口部分に装着されているベルトにより家屋の一部や家具を支えることができる。すなわち、生存空間確保用枠体の内部空間は常に安全が確保されることになり、怪我のない状態で救助を待つことができる。
【図面の簡単な説明】
【００２０】
【図１】第１実施形態における生存空間確保用枠体の正面図である。
【図２】第１実施形態おける生存空間確保用枠体の平面図である。
【図３】第１実施形態おける生存空間確保用枠体の側面図である。
【図４】第２実施形態における生存空間確保用の正面図である。
【図５】生存空間確保用枠体の変形例を示す側面図である。
【図６】生存空間確保用枠体の変形例を示す側面図である。
【図７】生存空間確保用枠体の変形例を示す正面図である。
【発明を実施するための形態】
【００２１】
以下、本発明にかかる生存空間確保用枠体の実施形態について、図面に基づいて具体的に説明する。
【００２２】
（第１実施形態）
本実施形態における生存空間確保用枠体１０は、図１〜図３に示すように、所要間隔をあけて並列した２体の単位フレーム２０，２０が連結体６０により連結されてフレーム３０が形成されていて、フレーム３０には接地部となる皿板４０が取り付けられ、第１のベルト５０Ａがフレーム３０に、第２のベルト５０Ｂが皿板４０に取り付けられている。
【００２３】
単位フレーム２０は、図１〜図３に示すように、ステンレス管を曲げ加工して形成した２本の円弧状の円弧状軸部材２２，２２と、円弧状軸部材２２の両端に取り付けられたフランジ部２４と、ステンレス管からなる連結用軸部材２６によって形成されている。
より詳細には、略四半円弧状に形成された２本の円弧状補助軸部材２２Ａ、２２Ｂを連結用スリーブ２８内で円弧方向に連続させて、ボルトＢによって連結用スリーブ２８と円弧状補助軸部材２２Ａ、２２Ｂを締結することにより円弧状軸部材２２を形成している。
【００２４】
円弧状軸部材２２の両端部分にはフランジ部２４が取り付けられている。ここでは、孔開きステンレススチール板により形成されたフランジ部２４の孔部分に、円弧状軸部材２２の端部を嵌め込んだ状態とし、溶接により円弧状軸部材２２の両端部分にフランジ部２４を取り付けた。フランジ部２４には後述する皿板４０との固定をするための円弧状軸部材２２の周辺に固定用孔２４Ａが均等間隔に穿設されている。
このようにして形成された円弧状軸部材２２を所要間隔をあけて二本並列させ、それぞれの円弧状軸部材２２，２２に対して、直管状に形成された連結用軸部材２６を掛け渡した状態で固定することにより連結し、略雲梯形状をなす単位フレーム２０が形成されている。円弧状軸部材２２と連結用軸部材２６との固定は、溶接等の公知の方法により行うことができる。
【００２５】
図２および図３に示すように、本実施形態における連結用軸部材２６は、円弧状軸部材２２の長手方向（円弧が延伸する方向）に対して所要間隔をあけて直交方向に配設される第１連結用軸部材２６Ａと、円弧状軸部材２２の長手方向において隣接する第１連結用軸部材２６Ａの一方の端部と他方の端部との間に掛け渡す配置でジグザグに配設された第２連結用軸部材２６Ｂとを有している。本実施形態における第２連結用軸部材２６Ｂは、図２および図３に示すように、第２連結用軸部材２６Ｂのジグザグ配置が隣接する単位フレーム２０，２０どうしで対称（鏡写しにした状態）となるように取り付けられている。
【００２６】
本実施形態においては２体の単位フレーム２０，２０を円弧状軸部材２２の円弧方向と直交する方向に所要間隔をあけて並列させ、隣接する単位フレーム２０，２０において隣り合う円弧状軸部材２２．２２どうしを連結体６０により連結してフレーム３０を形成している。このように２体の単位フレーム２０，２０どうしを連結することで、フレーム３０により形成される内部空間（生存空間）の奥行きを増やすことができる。必要に応じて３体以上の単位フレーム２０を連結することも可能である。
【００２７】
また、フレーム３０により形成された生存空間の奥行き方向中央部分においては、２本の円弧状軸部材２２，２２の離間距離が短くすることができるので、フレーム３０の上方からの落下物がフレーム３０により形成された生存空間に進入することが防止できる点および、より確実に生存空間を確保することができる点において好都合である。
フレーム３０の正面側と背面側に位置する円弧状軸部材２２には、第１のベルト５０Ａを掛け渡すためのベルト装着部３２がそれぞれ２箇所ずつに形成されている（図１参照）。
【００２８】
図２に示すように皿板４０の寸法は、フランジ部２４の幅寸法およびフレーム３０の奥行き寸法に合わせて形成されている。皿板４０には、フランジ部２４に穿設した固定用孔２４Ａの位置に対応する位置に固定用孔４２が穿設されている。また、皿板４０の内側端縁にはベルト装着部４４が形成されている。ベルト装着部４４はフランジ部２４の位置に合わせて配設されている。このように形成された皿板４０の上にフレーム３０のフランジ部２４を載置させると共に、固定用孔２４Ａ，４２の位置にボルトＢを挿通させて締結することによりフレーム３０と皿板４０を一体化することができる。フレーム３０にこのような皿板４０を取り付けすることにより、生存空間確保用枠体１０を畳の上に配設した際においても畳の傷みや沈み込み（凹み）を防止することができる。また、フレーム３０（円弧状軸部材２２）の接地部どうしが互いに離反する変形を防止する効果も期待できる。
【００２９】
フレーム３０に形成されたベルト装着部３２と皿板４０に形成されたベルト装着部４４には、第１のベルト５０Ａと第２のベルト５０Ｂがそれぞれ掛け渡される。フレーム３０のベルト装着部３２に掛け渡される第１のベルト５０Ａは、フレーム３０（円弧状軸部材２２）が形成する円弧に対して弦を形成するように配設されている。
このような第１のベルト５０Ａをフレーム３０に装着することにより、地震発生時において家屋や家具が倒壊した際に、フレーム３０（生存空間確保用枠体１０）の内部空間に倒れた家具などが入り込まないようにすると共に、フレーム３０の変形を拘束することにより生存空間を確実に確保することを可能にしている。
【００３０】
第１のベルト５０Ａに対して、皿板４０のフランジ部２４に位置合わせして配設されたベルト装着部４４には第２のベルト５０Ｂが掛け渡される。このような第２のベルト５０Ｂをフレーム３０に装着することにより、フレーム３０の正面視形状を弓型形状にすることができる。このような構成によれば、フレーム３０の上部に梁等の家屋の一部が倒れてきた場合であっても、第２のベルト５０Ｂによってフレーム３０の接地部（皿板４０）どうしが拡がり、フレーム３０の高さが減少する変形を拘束させることができ、確実に生存空間を確保することができる。
【００３１】
これらのような第１のベルト５０Ａおよび第２のベルト５０Ｂとしては、自動車等において採用されているシートベルトを用いることが好都合である。シートベルトは薄いため、生存空間の床面の上に第２のベルト５０Ｂが掛け渡された状態であっても居住性が損なわれることがない。また、第２のベルト５０Ｂの上に布団を敷けば、第２のベルト５０Ｂの存在を気にすることなく快適に就寝することができる点において好都合である。また、第１のベルト５０Ａおよび第２のベルト５０Ｂの両端と、ベルト装着部３２および４４に自動車用シートベルトに用いられているバックル構造を適用すれば、第１および第２のベルト５０Ａ，５０Ｂの装着を容易に行うことができる点において好都合である。第１のベルト５０Ａおよび第２のベルト５０Ｂには、それぞれのベルト長さを調整するためのベルト長調整機構を設ければ、各ベルトの張設状態を良好な状態に維持することができる。
【００３２】
このようにして本願実施形態における生存空間確保用枠体１０を得ることができる。このような生存空間確保用枠体１０の構成を採用することにより、就寝時に地震が発生したとしても、生存空間が確実に確保されるので、怪我をすることなく救助を待つことができる。また、生存空間確保用枠体１０の内側空間には布団が敷いてあるため、冬場に地震が発生し、家屋が倒壊した場合であっても、布団に入った状態であれば寒さに耐えて救助を待つこともできる。
【００３３】
そして、起床後は就寝場所に生存空間確保用枠体１０を設置したままにしておけば、家の中に生存空間が常時確保された状態にすることができ、安心である。そして、来客時等において生活スペースを広げたい場合には、生存空間確保用枠体１０を、連結用スリーブ２８の部分で２分割すれば、設置時における生存空間確保用枠体１０対して半分以下の占有スペースで収納しておくことができる。
【００３４】
（第２実施形態）
図４は、第２実施形態における生存空間確保用枠体の正面図である。本実施形態においては、第１実施形態で説明した構成と同様の構成については、第１実施形態で用いた符号を用いることによりここでの詳細な説明は省略している。
【００３５】
本実施形態における円弧状軸部材２２は、フランジ部２４が取り付けられる側の端部における所要範囲が直線部分２２ＳＴに形成されていて、この直線部分２２ＳＴを挿通保持すると共にフランジ２４が取り付けられる嵩上げ部８０を有している点が特徴的である。この嵩上げ部８０は、フランジ部２４に取り付けられた筒体８２と、筒体８２の上端部に形成された固定用フランジ８４を有している。ここでは、フランジ部２４と筒体８２を溶接により接続した。符号Ｙは溶接部分を示している。
【００３６】
筒体８２の上面開口部に円弧状軸部材２２の直線部分２２ＳＴを挿通させ、筒体８２および直線部分２２ＳＴに形成された径方向に貫通する貫通孔どうしを位置合わせし、貫通孔にボルトＢを挿通して図示しないナットにより締結すると共に、直線部分２２ＳＴと固定用フランジ８４とが交差部分を溶接等の公知の方法によって固定している。このようにして図４に示すような円弧状軸部材２２とフランジ部２４との間に嵩上げ部８０を有する単位フレーム２０およびフレーム３０を構成することができる。
【００３７】
本実施形態における単位フレーム２０およびフレーム３０を用いて構成された生存空間確保用枠体１０によれば、第１実施形態に比較して、生存空間確保用枠体１０の設置面からの高さＨ（生存空間における高さ）を増加させることができるから、就寝形態が床に敷いた布団だけではなく、ベッドである場合においても本願発明にかかる生存空間確保用枠体１０の使用が可能になる。これにより就寝スタイルにかかわらず、就寝中等において強い地震が発生した場合であっても生存空間の確保が可能になる点において好都合である。
また、図４には示していないが、本実施形態における生存空間確保用枠体１０の皿板４０どうしに図１に示すような第２のベルト５０Ｂを掛け渡すこともできる。
【００３８】
以上に実施形態に基づいて本願発明にかかる生存空間確保用枠体１０について実施形態に基づいて具体的に説明をしたが、本願発明にかかる生存空間確保用枠体１０は以上の実施形態に限定されるものではなく、発明の要旨を変更しない範囲で各構成を適宜変更した実施形態を採用することも可能である。たとえば、以上の実施形態においては、円弧状軸部材２２は２本の円弧状補助軸部材２２Ａ，２２Ｂを円弧方向に連結することにより円弧状軸部材２２を形成しているが、円弧状軸部材２２は３本以上の円弧状補助軸部材により形成されていてもよく、円弧状補助軸部材の連結部分を一方の端部を他方の端部に差し込み可能に形成しておけば、連結用スリーブ２８を省略し、直接ボルトＢにより締結することも可能である。
【００３９】
また、本実施形態においては円弧状軸部材２２および連結用軸部材２６がステンレススチール管により形成されている構成例について説明したが、円弧状軸部材２２および連結用軸部材２６はステンレススチール管に限定されるものではなく、木製の棒状体やエンジニアリングプラスチックに代表される合成樹脂製の管体または棒状体により形成されていてもよい。そして、生存空間確保用枠体１０を円弧方向に分解させる必要がないときは、単体で半円弧状をなす円弧状軸部材２２の形態を採用することもできる。
【００４０】
さらに、本実施形態における連結用軸部材２６としては、第１連結用軸部材２６Ａと第２連結用軸部材２６Ｂとを有し、第２連結用軸部材２６Ｂのジグザグ配列が隣接する単位フレーム２０どうしで対称となるようにした構成について説明したが、図５に示すように、第２連結用軸部材２６Ｂのジグザグ配列を隣接する単位フレーム２０において同一のジグザグ配列にすることもできる。また、図６に示すように、第２連結用軸部材２６Ｂは第１連結用軸部材２６Ａに対して直交する配列で連結してもよい。
【００４１】
さらにまた、図６に示すようにフレーム３０の上面に防護ネット７０を装着してもよい。防護ネット７０を装着することにより、生存空間確保用枠体１０により形成された生存空間内に細かい落下物が入り込むことが防止され、怪我を防止することができる。巨大地震発生時においては、救助されるまで長時間待たなければならないため、怪我のない状態で救助を待つことができることは、生存率を高める上できわめて重要である。
また、生存空間確保用枠体１０を軽量化するためには、第２連結用軸部材２６Ｂを有さない連結用軸部材２６にすることもできる。
【００４２】
また、第２実施形態においては、フランジ部２４と円弧状軸部材２２の間に直線部分２２ＳＴを設けて、この直線部分２２ＳＴを筒体８２および固定用フランジ８４を有する嵩上げ部８０に挿通保持させた構成例について説明しているが、嵩上げ部８０の構成はこの構成に限定されるものではない。たとえば、固定用フランジ８４の構成は省略することもできるし、図７に示すように、円弧状部材２２のフランジ部２４側の所要範囲に設けた直線部分２２ＳＴをフランジ部２４に直接溶接等によって固定する形態を採用することもできる。この場合、円弧状軸部材２２の直線部分２２ＳＴが嵩上げ部として機能する。そして、図７に示すように第１のベルト５０Ａを高さ方向の複数箇所に配設してもよい。
【００４３】
また、生存空間確保用枠体１０（円弧状軸部材２２）の生存空間側の部分には発泡ウレタン等により形成された緩衝シートを取り付けしておけば、地震発生時に慌てて起き上がった際等において生存空間確保用枠体１０に体の一部が当たったとしても怪我を防ぐことができる。
そして、以上に説明した第１実施形態、第２実施形態に対して上記変形例を適宜組み合わせた形態を採用することも可能である。
【符号の説明】
【００４４】
１０  生存空間確保用枠体
２０  単位フレーム，２２  円弧状軸部材，２４  フランジ部，２６  連結用軸部材，２８  連結用スリーブ，
３０  フレーム，３２  ベルト装着部
４０  皿板，４４  ベルト装着部
５０Ａ  第１のベルト，５０Ｂ  第２のベルト
６０  連結体
７０  防護ネット
８０  嵩上げ部，８２  筒体，８４  固定用フランジ
Ｂ  ボルト，Ｙ  溶接部分
【図１】
2015183434.tif 000003
【図２】
2015183434.tif 000004
【図３】
2015183434.tif 000005
【図４】
2015183434.tif 000006
【図５】
2015183434.tif 000007
【図６】
2015183434.tif 000008
【図７】
2015183434.tif 000009